(57)【要約】  太陽光発電モジュールの表面から突出した可撓性の平坦導体帯を有する太陽光発電モジュールのための接続箱であって、該接続箱は、取り付け状態において、該太陽光発電モジュールの少なくとも一の可撓性の平坦導体帯に対し、太陽光発電モジュールと対向する側に挿入口を有し、該太陽光発電モジュールを取り付けるためのハウジングを具備し、ハウジング内に配置され、該平坦導体帯に対する結合装置であって、該太陽光発電モジュール上に該接続箱が載置された際に閉じる電気接触クランプを具備し、それにより平坦導体帯を掴んで接触することを特徴とする接続箱である。【選択図】        図５
2010518613.tif 000002
【特許請求の範囲】
【請求項１】
太陽光発電モジュールの表面から突出した可撓性の平坦導体帯（２８）を有する太陽光発電モジュール（２４）のための接続箱（１）であって、該接続箱（１）は、
太陽光発電モジュール（２４）における少なくとも１つの可撓性の平坦導体帯（２８）のために、挿入口（２６）を取付状態において太陽光発電モジュールに対面する側面に有し、太陽光発電モジュール（２４）に取り付けるためのハウジング（２）と、
ハウジング内に配置された、可撓性の平坦導体帯（２８）のための結合装置とを備え、
該結合装置（２０）は、電気的接触クランプ（２２）を備えた第１の結合装置（４４）を有し、
該接触クランプは、接触クランプ（２２）のキャッチ領域（３０）において、結合装置（２０）の中に平坦導体帯（２８）が挿入可能であって、開いた取付状態（図４）を形成すると共に、この接触クランプ（２２）は、平坦導体帯が接触クランプ（２２）に電気的に接触している、閉じた接触状態（図５）を形成し、
接続箱（１）は、平坦導体帯（２８）との電気的接触を確立するために、接触クランプ（２２）を作動させる、作動要素（１８）を備えている、
ことを特徴とする接続箱。
【請求項２】
接触クランプ（２２）は、クランプばね（３２）と、カウンタクランプ要素（３６）とを有し、作動要素（１８）の作動に応答した、クランプばね又はカウンタクランプ要素（３６）のうち少なくとも１つの動きによって、平坦導体帯（２８）との電気的接触が閉じられることを特徴とする請求項１に記載の接続箱（１）。
【請求項３】
クランプばね（３２）及び／又はカウンタクランプ要素（３６）は、結合装置（２０）にピボット可能に取り付けられ、作動要素（１８）の作動に応答した、クランプばね（３２）又はカウンタクランプ要素（３６）のうち少なくとも１つのピボット運動によって、平坦導体帯（２８）との電気的接触が閉じられることを特徴とする請求項２に記載の接続箱（１）。
【請求項４】
クランプばね（３２）又はカウンタクランプ要素（３６）におけるクランプ部分（３４）は、平坦導体帯（２８）を把持し、後にクランプ接触させるために、接触クランプ（２２）を閉じたとき、キャッチ領域（３０）を通り過ぎることを特徴とする請求項２又は３に記載の接続箱（１）。
【請求項５】
前記接続箱（１）において、
作動要素（１８）は、ハウジングに配置され、ハウジング（２）は、結合装置（２０）に対して可動であって、結合装置（２０）に対するハウジング（２）の動きに起因して、接触クランプが、作動要素（２８）によって、自動的に閉じられる、
ことを特徴とする請求項１から４のいずれか一項に記載の接続箱（１）。
【請求項６】
ハウジング（２）と結合装置（２０）とは、摺動構造（１４，１５）によって、互いに対して摺動可能になっており、接続箱（１）を太陽光発電モジュール（２４）に装着するとき、ハウジング（２）は、結合装置（２０）に対して摺動し、それにより、電気的接触（２８）を確立するために、装着工程中に、作動要素（１８）は自動的に接触クランプ（２２）を閉じることを特徴とする請求項５に記載の接続箱（１）。
【請求項７】
摺動構造（１４，１５）は、案内スリーブ（１５）と整列ピン（１４）とを備え、これらは、取付状態において互いに対してクランプし、一方において、ハウジング（２）内の結合装置（２０）が落下しないように固定し、他方において、太陽光発電モジュールに取り付けるとき、このクランプは、太陽光発電モジュール（２４）に対して保持されている、結合装置（２０）に対して、ハウジング（２）が太陽光発電モジュール（２４）に係合するまで、ハウジング（２）を摺動するために、太陽光発電モジュール（２４）に対してハウジング（２）へ力を適用することで克服されることを特徴とする請求項６に記載の接続箱（１）。
【請求項８】
前記接続箱（１）において、
クランプばね（３２）は、作動部分（３８）を有し、これと共に、ハウジング（２）の作動要素（１８）が一緒に働いて、接触クランプ（２２）を閉じて、作動部分（３８）は、クランプばね（３２）における、屈曲部分と実質的に直線状の部分（４０，４２）とを備えていることを特徴とする請求項１から７のいずれか一項に記載の接続箱（１）。
【請求項９】
前記接続箱（１）において、
接触クランプ（２２）は、ラッチ機構（５４，５５）を有し、これにより、クランプばね（３２）が接触状態に係止されることを特徴とする請求項１から４のいずれか一項に記載の接続箱（１）。
【請求項１０】
接触クランプ（２２）は、永久的なクランプ力によって、クランプばね（３２）とカウンタクランプ要素（３６）との間に平坦導体帯（２８）をクランプ及び接触させるために、閉じて係止された状態において張力下に置かれることを特徴とする請求項９に記載の接続箱（１）。
【請求項１１】
前記接続箱（１）において、
カウンタクランプ要素は、太陽光発電モジュール（２４）の表面に対して斜めに配置され、平坦導体帯（２８）は、接触状態において、斜めになっている、
ことを特徴とする請求項１から１０のいずれか一項に記載の接続箱（１）。
【請求項１２】
前記接続箱（１）において、
接触クランプ（２２）は、保持フレーム（５１）を有し、クランプばねは、保持フレームにおけるベアリング開口部にあるベアリング軸によって、ピボット可能に取り付けられている、
ことを特徴とする請求項１から１１のいずれか一項に記載の接続箱（１）。
【請求項１３】
接続箱を予備組み立てするとき、従って、保持フレーム（５１）のクランプばね（３２）に挿入するために、保持フレームには、スロット（６０）を通してクランプばね（３２）のベアリング軸（５６）を挿入するためのベアリング開口部に向けてスロットを付けられていることを特徴とする請求項１２に記載の接続箱（１）。
【請求項１４】
前記接続箱（１）において、
保持フレーム（５１）は、導電性材料から作られ、略Ｕ字形の構成を備え、第１の結合装置（４４）は、結合ケーブルと接続するためのケーブル接続クランプ（４６）を有し、ケーブル接続クランプ（４６）は、平坦導体帯（２８）のための接触クランプ（２２）と同一の保持フレームに取り付けられている、
ことを特徴とする請求項１２又は１３に記載の接続箱（１）。
【請求項１５】
前記接続箱（１）において、
結合装置（２０）は、絶縁性のキャリア（５０）を有し、その中に、保持フレーム（５１）が取り付けられている、
ことを特徴とする請求項１２乃至１４に記載の接続箱（１）。
【請求項１６】
前記接続箱（１）において、
結合装置（２０）は、第１の接触構造（４４）に類似した、第２の接触構造（４４）を有し、太陽光発電モジュール（２４）における第２の平坦導体帯（２８）のための第１の接触クランプ（２２）を備え、ハウジング（２）は、第２の作動要素（１８）を有し、接続箱を太陽光発電モジュール（２４）に装着するとき、２つの接触構造（４４）におけるそれぞれの可撓性の平坦導体帯（２８）のための接触クランプ（２２）が、それぞれの関連する作動要素（１８）によって閉じられることを特徴とする請求項１から１５のいずれか一項に記載の接続箱（１）。
【請求項１７】
先行するいずれかの請求項に記載の接続箱（１）のための結合装置であって、太陽光発電モジュールの表面から突出した可撓性の平坦導体帯（２８）を備えた太陽光発電モジュール（２４）に用いられ、この結合装置が、
太陽光発電モジュールにおける少なくとも１つの可撓性の平坦導体帯のための挿入口と、
可撓性の平坦導体帯（２８）のための接触クランプ（２２）と、を備え、
接触クランプ（２２）は、開いた取付状態（図４）を形成し、このとき、平坦導体帯（２８）は、接触クランプ（２２）の空洞であるキャッチ領域（３０）の中に挿入可能であり、また、このクランプは、閉じた接触状態（図５）を形成し、このとき、平坦導体帯（２８）は、接触クランプ（２２）に電気的に接触し、接触クランプは、作動部分（３８）を備え、ピボット可能なクランプばね（３２）を有し、挿入された平坦導体帯（２８）をしっかりとクランプするために、及び後者との電気的接触を確立するために、接触クランプは、作動部分（３８）のクランプばねの作動に応答して、取付状態から接触状態へと自動的に閉じることを特徴とする結合装置。
【発明の詳細な説明】
【技術分野】
【０００１】
本発明は、接続連結箱としてのみならず、太陽光発電モジュールの表面から突出する可撓性の平坦導体帯を有する太陽光発電モジュールのための接続箱に関する。
【背景技術】
【０００２】
過去数年間にわたって、太陽光発電モジュールの生産は、文字通り、ブームになっていて、とりわけ、それは環境にやさしいエネルギー生産の要求の高まりに起因する。太陽光発電モジュールで、直接、太陽光を電流に変換することにより、完全に排出物質が無く、人間および環境にとってリスクが無いと、ほぼ言える。例えば、最近では、新しい建物の屋根には完全に太陽光発電モジュールがかぶせられ、“太陽光発電プラント”さえも建造されている。太陽光発電の技術的な進歩により、太陽光発電モジュールは中央ヨーロッパおよび北アメリカなど好ましくない緯度においてさえますます効率的になっており、とりわけこれらの地域において大きな需要が存在する。化石燃料または原子力エネルギーとしての他のエネルギー媒体でのエネルギー生産上のコストが上昇していることはいうまでもなく、一方においてさらなる技術的な発展に起因した太陽光モジュールの効率の継続的な進歩により、太陽光発電はますます競争的になっている。
【０００３】
明らかに、他のエネルギー媒体との経済的競争において、太陽光モジュールの成功は、太陽光モジュールの生産および取付けコスト次第である。
【０００４】
代表的に、太陽光モジュールは、半導体技術を基礎とする複数の太陽電池セルからなっていて、これらのセルが相互に接合されて、大規模な太陽電池パネルになる。代表的な太陽光モジュールは、太陽に面する側にガラス板を有し、背面に透明なプラスチック層を有していて、この層の中に太陽電池セルが埋設されている。代表的に、太陽光モジュールの背面は、例えば、ポリ弗化ビニルおよびポリエステルなどの耐候性プラスチック化合物の薄膜で被覆される。モノ型またはポリ型の結晶性の太陽電池セルは、小さな半田線によって互いに電気的に相互に接続されている。代表的に、太陽光発電モジュールは、さらに金属輪郭フレームに取り付けられ、該化合物を固定して剛性を高めている。従って、太陽光発電モジュールは、基本的に、ガラス板と同様に、二次元の存在である。
【０００５】
代表的に、太陽光モジュールは、太陽から外れた側に、薄い平坦導体帯を有している。多くの場合、これらの帯は銅から作られており、太陽光発電モジュールの背面側から垂直に突出している。これらの平坦導体帯は極めて繊細であり、接続が困難である。加えて、太陽光発電モジュールが円板状の形状であるために、電気コネクタを固定するための機械的な挿入も困難である。従って、特殊な種類の電気コネクタが、そのような太陽光発電モジュールのために発達しており、この種類のものは接続箱または接続箱と称される。代表的に、接続箱は、太陽光発電モジュールの背面に接着され、太陽光発電モジュールにおける可撓性の平坦導体帯と接触するための電気接続装置を内部に有している。さらに、必要に応じて、接続箱は電気接続ケーブルを接続するための装置を有し、これが太陽光発電モジュールによって発生した電流を導くための接続箱によって、太陽光発電モジュールにおける可撓性の平坦導体帯と結合される。
【０００６】
さらに、いくつかの太陽光発電モジュールは代表的に直列接続において動作し、いわゆるバイパスダイオードまたはフリーホイールダイオードは、それぞれのモジュールに逆並列で接続される。接続箱の内部では、フリーホイールダイオードが電気接続装置に接続されている。モジュールが日陰に入り、または欠陥のために電気を発生しないならば、モジュールは、直列接続における太陽光発電モジュールの出力を低下させ、または、バイパスダイオードが無ければ、損傷することさえある。これはバイパスダイオードによって回避される。電流がダイオードを通って流れ、持続するからである。
【０００７】
機械的な状態，特に太陽光発電モジュールの形態と可撓性の平坦導体帯の繊細さに起因して、明らかに、接続箱を構成する際に多数の困難が生じる。これまで、可撓性の平坦導体帯に装着される接続箱が知られている。その装着の際、可撓性の平坦導体帯は、手作業で曲げられて、接触クランプまたは半田付け接続によって、接続される。接続箱は、さらなる手順段階で、閉じられる。そのような接続装置または接続箱を取り付けることは、それぞれ根気を要し、自動化された大量生産には適していないことが明らかである。
【０００８】
太陽光発電モジュールのための電気的な接続箱は特許文献１により知られるところであり、この箱はその下側に案内構造を有している。薄い導体帯はこの案内構造によって少ない遊びで横方向に案内され、クランプ装置の中に挿入するとき、導体帯が座屈または折り曲げられることを回避している。ここでは、導体帯を狭い案内構造にねじ入れなければならず、それにもかかわらず、クランプ構造の保持力は薄い導体帯をクランプ構造に挿入できるようにするため、比較的低く不利である。
【０００９】
ここから、結局のところ、太陽光発電モジュールの生産を革新するために、高い圧力によって、この観点を改良するための要望が存在している。
【先行技術文献】
【特許文献】
【００１０】
【特許文献１】独国特許発明第１０３ ５８ １４０ Ｂ４号明細書
【発明の概要】
【発明が解決しようとする課題】
【００１１】
従って、本発明の目的は、容易で、迅速で、効率的で、特に、自動的に、例えばロボットによって、太陽光発電モジュールに結合され、高い接触信頼性と長寿命を提案する太陽光発電モジュールのための接続箱を提供することである。
【００１２】
本発明のさらに別の目的は、太陽光発電モジュールにおける横手方向に関する許容公差のようなものをもつ接続箱を提供することである。
【００１３】
本発明のさらに別の目的は、そのような接続箱であって、現在の技術水準における不都合を避け、または少なくとも軽減し、コスト効率的な取り付けの点のみならずコスト効率的生産をも提供することである。
【課題を解決するための手段】
【００１４】
本発明によれば、太陽光発電モジュールの表面から突出した可撓性の平坦導体帯を有する太陽光発電モジュールのための接続箱が提供される。太陽光発電モジュールに取り付けられるハウジングはいうまでも無く、太陽光発電モジュールの少なくとも一つの可撓性の平坦導体帯に対する挿入口を有している。ハウジング中には、可撓性の平坦導体帯のための結合装置がある。
【００１５】
結合装置は、電気的接触クランプを備えた、第１の電気的接触構造を有し、これは、少なくとも２つの形成された安定な状態、すなわち、開いた取付状態と閉じた接触状態とを有する開いた取付状態においては、平坦導体帯は、結合装置の中に抵抗無しに挿入可能であり、実際、接触クランプにおける空洞であるキャッチ領域の中に入れられる。閉じた接触状態においては、平坦導体帯は、接触クランプに電気的に接触し、事前に定められたクランプ力にてクランプされる。
【００１６】
さらに、接続箱は、接触クランプを作動させる作動要素を有し、接触クランプは、作動に応答して自動的に閉じられて、従って、平坦導体帯との電気的接触が確立される。太陽光発電モジュールの表面に対して垂直に、太陽光発電モジュールに対してハウジングを押し込んで、接続箱が装着されるとき、取付状態から接触状態への作動又は移行は、好ましくは、自動的に実行される。
【００１７】
好ましくは、接触クランプは、クランプばねとカウンタクランプ要素とを有し、これら２つのうち少なくとも１つは、電気的接触部分を有し、平坦導体帯との電気的接触は、作動要素の作動に応答して、クランプばねの又はカウンタクランプ要素の活動的な動きによって閉じられる。このために、結合装置にクランプばねをピボット可能に取り付けることは容易になり、また、作動要素の作動に応答して、クランプばねをピボットさせることによって、平坦導体帯との電気的接触を閉じることも容易になる。ここで、クランプばねにおけるクランプ部分は、平坦導体帯を把持するために、クランプばねとカウンタクランプ要素との間のキャッチ領域を通り過ぎる。従って、キャッチ領域は、好ましくは、平坦導体帯を挿入するとき、比較的大きくて、抵抗無く又はバリアフリーであり、平坦導体帯が損傷する危険を回避する。
【００１８】
好ましい方法においては、強くて、事前に定められた、クランプ及び接触力は、平坦導体帯を挿入した後に、接触クランプを活動的に閉じることによって生じる。
【００１９】
好ましくは、作動要素は、ハウジングに取り付けられ、例えば、それはハウジングと一体的に形成され、ハウジングは、結合装置に対して可動になっており、好ましくは、直線的に摺動可能であって、接触クランプは、結合装置に対してハウジングを動かすことで、自動的に閉じられる。このために、接続箱は、ハウジングと結合装置との間に、摺動構造を有し、接続箱を太陽光発電モジュールに装着するとき、ハウジングは、結合装置に対して、太陽光発電モジュールの表面の横方向に摺動され、それにより、平坦導体帯との電気的接触を確立するための装着手順中に、作動要素は接触クランプを自動的に閉じる。意図的に、摺動構造は、案内スリーブを備え、例えば、結合装置に、及び、整列ピンを、例えば、ハウジングに備える。接続箱を取付状態に取り付けるとき、結合装置がハウジング内に落下しないように固定するため、摺動構造は、自己クランプ式に形成され、すなわち、このクランプは、太陽光発電モジュールに向けてハウジングに力を加えることで克服され、接続箱を太陽光発電モジュールに装着するとき、ハウジングが太陽光発電モジュールに係合するまで、結合装置に対してハウジングを摺動させるために、太陽光発電モジュールに対して結合装置を支持する。
【００２０】
これは、接続箱を太陽光発電モジュールに自動的に取り付ける場合に、唯一の生産段階は直線運動を実行することであり、これは特に取付ロボットによって容易に実行できるという利点を提供する。
【００２１】
本発明の好ましい実施形態によれば、板ばね状のクランプばねが作動部分を有し、これと共に、ハウジングの作動要素が一緒に作用して、接触クランプを閉じ、ここで、作動部分は、クランプばねの屈曲した及び実質的に直線状の部分を有している。これと共に、取付状態において容易な方法で、２つの部分を適当に形成することで、接触クランプは、開いた位置にて固定され、接触クランプを開いて、キャッチ領域を空洞に保つことが確保される。
【００２２】
一定のクランプ及び接触力が、これにより確保され、接触は、永久的な品質になる。
【００２３】
好ましくは、カウンタクランプ要素は、太陽光発電モジュールの表面に対して、例えば、およそ４５゜、傾斜しており、平坦導体帯は、接触状態において傾斜している。
【００２４】
意図的に、接触クランプは、金属製で略Ｕ字形の保持フレームを有し、ベアリング開口部のベアリング軸によって、クランプばねは、ピボット式に取り付けられる。保持フレームは、ベアリング開口部に向けてスロットが付けられ、接続箱の取付前に、クランプばねにおけるベアリング軸は、スロットを通して挿入される。好ましくは、第１の接触構造は、接続ケーブルと接続するためのケーブル接続クランプを有し、このクランプは同一の保持フレームに取り付けられる。好ましくは、ケーブル接続クランプは、第２のクランプばねを有し、接続ケーブルとの電気的な接触を閉じる。
【００２５】
さらに好ましくは、接触クランプは、ラッチ機構を有し、これにより、クランプばねは、接触状態に係止され、これは、例えば、保持フレームにおけるクランプばねのラッチノーズを係止することによる。閉じられて係止された状態においては、接触クランプは張力の下にある。
【００２６】
好ましくは、結合装置は、絶縁性のキャリアを有し、これは、平坦導体帯のための下側挿入口を形成しており、保持フレームは、両側でスナップ嵌合することで係止される。
【００２７】
本発明の特に好ましい実施形態によれば、結合装置は、２つの同一である電気的接触構造を有し、接触クランプを同時に閉じる、２つの作動要素を有するハウジングによって、２つの平坦導体帯と同時に接触する。
【００２８】
以下、本発明について、例示的な実施形態に基づいて、図面を参照して、より詳細に説明することとし、同一及び類似の要素には、同一の参照符号を付しており、異なる実施形態における特徴は、互いに組み合わせられる。
【図面の簡単な説明】
【００２９】
【図１】接続ケーブルのための屈曲保護鳩目を示した斜視図である。
【図２】接続箱のハウジングを上から見た斜視図である。
【図３】接続箱のハウジングを下から見た斜視図である。
【図４】開いた取付状態における、電気的結合装置を備えた接続箱を通る、太陽光発電モジュールを横切る断面図である。
【図５】閉じた接触状態における、電気的結合装置を備えた接続箱を通る、太陽光発電モジュールを横切る断面図である。
【図６】結合装置を示した斜視図である。
【図７】第１の電気的接触構造を示した斜視図である。
【図８】平坦導体帯のための接触クランプを示した図である。
【図９】接続ケーブルのためのクランプばねを示した図である。
【図１０】太陽光発電モジュールに対して平行な、接続箱を通る断面図である。
【図１１】太陽光発電モジュールに対して平行な、変形例による実施形態の断面図である。
【発明を実施するための形態】
【００３０】
図１乃至図３を参照すると、接続箱は、プラスチックから作られたハウジング２を有している。ハウジング２は、４つの側壁２ａ〜２ｄと、４つの側壁を結合し、太陽光発電モジュールに対して平行に延在する、閉じたキャップ２ｅとからなる、実質的に矩形のフレームである。ハウジング２は、５つの側にて閉じられ、下向きに開かれて、例えば、ダイキャストにて一体的になっている。別々の屈曲保護鳩目６は、それぞれ、接続ケーブルのリードスルーに挿入されている。
【００３１】
図３を参照すると、ハウジング２は、下向きに開かれ、円形グルー切欠部１０を備えた突出した保持フレーム８を有し、ハウジング２は、山型帽子の形状を有している。最終的には、接続箱は、グルー切欠部１０に配置された接着剤によって、太陽光発電モジュール上に永久的に接着される。ハウジングの山型帽子状又はフライパン状の形状は、内側に中空空間１２を形成し、その中に、図３には示していない結合装置が、取付状態において、実質的に防水されて収容される。
【００３２】
整列ピン１４は、ハウジングキャップ２ｅの下側から、中空空間１２の中に突出している。クランプバー１６は、整列ピン１４の間において、接続ケーブルのリードスルー４の下側に設けられている。さらに、ハウジングキャップ２ｅの下側には、２つの作動装置１８が設けられる。この実施形態においては、作動装置は、その機能についてさらに詳しく後述するが、ハウジングと一体的に形成され、斜めに延びる作動バーの形態にて作られている。
【００３３】
図４を参照すると、結合装置２０は、接続箱１のハウジング２の中に配置されている。図４は、接続箱を取付状態において示しており、接触クランプ２２は開かれている。結合装置２０は、案内スリーブ１５を有し、その中に、整列ピン１４が挿入される。整列ピン１４は、それぞれの案内スリーブ１５をクランプし、接続箱１を太陽光発電モジュール２４に装着するとき、結合装置２０は、クランプすることでハウジング２に固定され、ハウジングは自動的にロボットによって装着され、結合装置が落下することはない。他方において、整列ピン１４と案内スリーブ１５との間のクランプは、ハウジング２と結合装置２０との間の相対的な運動を可能にするために加えられる力によって、克服される。この例においては、案内スリーブ１５には、スロットが形成され、整列ピン１４とのクランプ協働作用の克服を改善する。
【００３４】
図４は、開いた取付状態における接続箱１を示しており、結合装置２０は、ハウジング２に完全には挿入されていない。すなわち、それは、ハウジングから下向きに、少しだけ突出している。従って、取付状態においては、結合装置２０の下側面と、ハウジング２の保持フレーム８との間に、オフセットが存在し、接続箱１に取り付けるとき、結合装置２０は、最初に、太陽光発電モジュール２４に係合する。図４に示したこの状態においては、保持フレーム８は、依然として、太陽光発電モジュール２４の表面から間隔を隔てている。
【００３５】
接続箱１は、比較的大きな挿入開口部２６を、太陽光発電モジュール２４に対面する、下側面に有している。開いた取付状態においては、繊細な可撓性の平坦導体帯２８、いわゆる“リボン”が、バリアフリーで抵抗無く、下から挿入され、接続箱２０の中に入る。平坦導体帯２８を破損する危険は、これにより減少する。この状態において、接触クランプ２２は、開いたキャッチ領域３０を形成し、この中には、接続箱を装着したときには、下側から平坦導体帯２８が抵抗無く入り込む。好ましくは、接触クランプ２２又は偏向アーム２１は、未だ平坦導体帯２８に接触しておらず、この状態では、平坦導体帯２８の挿入及び接触は、２つの連続的な段階にて行われる。
【００３６】
ここで、ハウジング２には、太陽光発電モジュール２４に対して力が加えられて、接触クランプが閉じられ、結合装置２０は、それ自体を太陽光発電モジュール２４に支持する。これにより、結合装置２０に対して、ハウジング２の直線運動が生じ、グルー切欠部１０を備えた保持フレーム８が太陽光発電モジュール２４の表面と係合するまで、そして、結合装置２０の及びハウジング２の下側面が、太陽光発電モジュール２４に面一に当接するまで、ハウジング２は、結合装置２０上を摺動する。この状態は、図５に示している。
【００３７】
図５を参照すると、ハウジング２は、グルー切欠部１０の中にある接着剤によって太陽光発電モジュールに接着されている。結合装置２０に対するハウジングの相対的な運動中に、この例においては作動バーである、作動要素１８が、さらにクランプばね３２と共に相互作用する。この作動に起因して、接触クランプ２２は、クランプばね３１のピボットによって、閉じられる。それにより、クランプばね３２におけるクランプ部分３４は、キャッチ領域３０を通り過ぎて、平坦導体帯２８の上端部を捕捉し、クランプばね３２におけるクランプ部分３４と、カウンタクランプ要素３６との間に、電気的に導電クランプする。そうするとき、平坦導体帯２８は斜めになり、というのは、この例においては、カウンタクランプ要素３６は、太陽光発電モジュールの法線に対して、およそ４５゜傾斜しているためである。
【００３８】
クランプばね３２は、作動部分３８を有し、これは、屈曲した部分４０と、実質的に直線状の部分４２とに分割される。閉じる間、作動要素１８は、最初に、屈曲部分４０に作用し（図４参照）、接続箱１の閉じた状態において、直線状部分４２に対して締め付けられ、この状態を図５に示している。すなわち、作動要素１８は、閉じる間に、クランプばね３２の作動部分３８を通り過ぎる。
【００３９】
接触クランプ２２は、接触構造４４によって取り囲まれ、不図示の電気的接続ケーブルのためにケーブル接続クランプを有している。この例においては、ケーブル接続クランプ４６にも、クランプばね４８が設けられる。しかし、ねじクランプなど、その他の接続変形例も、ここで使用できる。
【００４０】
ここに示した実施形態においては、結合装置２０は、２つの同一に形成されて、逆向きに配置された、電気的接触構造４４を備えて、２つの平坦導体帯２８と同時に接触させている。しかし、本発明による結合概念は、それに限定されないことは明らかであり、結合装置２０は、１又は２以上の電気的接触構造４４を備えることができる。
【００４１】
図６を参照すると、結合装置２０は、好ましくはプラスチックから作られた、絶縁性のキャリアを有し、このキャリアは、太陽光発電モジュール５４に対する主たる結合面を形成し、下側面に挿入口を形成し、この箇所に、接触構造４４が取り付けられる。電気的構造４４は、実質的にＵ字形の金属製の保持フレーム５１を有し、これは、好ましくは、銅から作られており、スナップ嵌合５２によって、キャリア５０に係止される。
【００４２】
図６は、接触クランプ２２の閉じた接触状態を示しており、接触クランプ２２は係止されている。このために、クランプばね３２は、２つのラッチ軸５４を有し、これらは、金属製の保持フレームに係止されている。係止された状態においては、クランプばね３２は、カウンタクランプ３６に対して予張力を与えられている。これは、永久的で安全な電気接触を与える。平坦導体帯２８は、図６には示していない。
【００４３】
さらに、クランプばね３２は、ベアリング軸５６によって、スロット付きのベアリング開口部５８に取り付けられる。従って、クランプばね３２は、接続箱を取り付けるとき、容易に挿入され、平坦ベアリング軸５６の位置に起因して固定され、この位置は、取付状態及び接触状態において、スロット６０に対して回転する。クランプばね３２は、鋼板から打ち抜いて形成され、実質的にＵ字形に屈曲している。
【００４４】
金属製の保持フレーム５１はさらに、バイパスダイオードのための電気的接続要素６４を有し、この要素は、ソケット６２によって、キャリア５０に支持されている。
【００４５】
クランプばね３２の作動部分３８における２つの部分４０，４２の形態に起因して、クランプばね３２は、開いた取付状態において固定され、キャッチ領域３０は取付状態において開いて保たれる。接続箱１を太陽光発電モジュールに装着することで、導体帯２８は、太陽光発電モジュールから突出して、このキャッチ領域３０の中に、下から直接、入り込む。
【００４６】
ハウジング２と結合装置２０との間の相互作用に起因して、作動要素１８によって、クランプばね３２は、開いた位置に強制的に維持され、ピボットを生じる。
【００４７】
平坦導体帯２８は、キャッチ領域３０内にあって、クランプ部分３４によって把持され、この例においては、４５゜の角度のピボットを維持することで、カウンタクランプ要素に対して押し付けられる。ピボットの終了時には、クランプばねは、そのラッチノーズ５４と共に、接触状態又は運転状態において、金属製の保持フレーム５１の中に係止する（図５）。クランプばね３２の予張力に起因して、平坦導体帯２８とカウンタクランプ要素３６との間には、永久的で所定の押圧力が確立する。
【００４８】
図１０を参照すると、実施形態による接続箱１が示されており、この場合には、結合装置は概略、ハウジングの中央に横方向に配置され、側面にある平坦導体帯２８と結合する。
【００４９】
しかし、平坦導体帯が側面にある場合には、太陽光発電モジュールが存在する。図１１に示した本発明の変形例による実施形態は、これらの平坦導体帯２８と接触するために働き、この実施形態では、結合装置２０は、ハウジング２の横方向縁部に配置されている。
【００５０】
当業者には明らかなように、上述した実施形態は例示として理解されるべきであり、本発明は、それらに限定されないが、本発明の範囲から逸脱せずに、様々な方法で変形できる。さらに、明らかに、特徴は、個々に、本発明の本質的部分を形成し、たとえ、それらが他の特徴と一緒に一般的に説明されていたとしても、それらが説明、図面、又は別な具合に開示されているか否かにかかわりない。
【図１】
2010518613.tif 000003
【図２】
2010518613.tif 000004
【図３】
2010518613.tif 000005
【図４】
2010518613.tif 000006
【図５】
2010518613.tif 000007
【図６】
2010518613.tif 000008
【図７】
2010518613.tif 000009
【図８】
2010518613.tif 000010
【図９】
2010518613.tif 000011
【図１０】
2010518613.tif 000012
【図１１】
2010518613.tif 000013
【国際調査報告】
2010518613.tif 000014
2010518613.tif 000015
2010518613.tif 000016
2010518613.tif 000017